(57)【要約】      （修正有）【課題】ベローの肉厚を増すことなく、プロペラシャフトがスライドし、ベローが変形することを低減。【解決手段】ベロー１は、バンド固定溝４のベロー側端部５からベロー側端部６までの径方向高さをＡとし、ベロー側端部５からベロー側端部６までの軸方向長さをＢとし、Ａ及びＢを各々４等分して１６領域にした場合、ベロー側端部５を原点として大径開口縁部２側へ軸方向長さ２／４Ｂの範囲において、原点５から径方向外側へ１／４Ａの範囲内に形成され、軸方向長さ２／４Ｂから３／４Ｂの範囲においては、原点５から径方向外側へ１／４Ａから３／４Ａまでの範囲内に形成され、さらに軸方向長さ３／４Ｂから４／４Ｂの領域では径方向外側へ１／４Ａから４／４Ａまでの範囲内に形成され、かつ少なくとも原点５から軸方向長さ３／４Ｂまでの領域では、ベロー側端部５とベロー側端部６とを結ぶ母線１１よりもプロペラシャフト側寄りに凸の円弧状を成している。【選択図】図１
2017096473.tif 000002
【特許請求の範囲】
【請求項１】
プロペラシャフト用ＣＶＪの外輪に取り付けられるアダプタに反転した状態でかしめられて固定される大径開口縁部と、プロペラシャフトに嵌合されて固定される小径固定部と、前記大径開口縁部と前記小径固定部との間を繋ぐベローとを有するプロペラシャフト用ＣＶＪブーツにおいて、
前記ベローは、前記小径固定部のバンド固定溝のベロー側端部から前記大径開口縁部のベロー側端部までの径方向高さをＡとし、前記小径固定部のバンド固定溝のベロー側端部から前記大径開口縁部のベロー側端部までの軸方向長さをＢとし、前記Ａ及びＢを各々４等分して１６の領域に区画した場合に、
前記小径固定部側の前記ベロー側端部を原点として前記大径開口縁部側へ軸方向長さ２／４Ｂの範囲においては、前記原点から径方向外側へ１／４Ａの範囲内に形成され、
軸方向長さ２／４Ｂから３／４Ｂの範囲においては径方向外側へ１／４Ａから３／４Ａまでの範囲内に形成され、
さらに軸方向長さ３／４Ｂから４／４Ｂの領域では径方向外側へ１／４Ａから４／４Ａまでの範囲内に形成され、
かつ少なくとも前記原点から軸方向長さ３／４Ｂまでの領域においては、前記小径固定部側の前記ベロー側端部と前記大径開口縁部の前記ベロー側端部とを結ぶ母線よりも前記プロペラシャフト側寄りに内に向けて凸の円弧状を成している
ことを特徴とするプロペラシャフト用ＣＶＪブーツ。
【発明の詳細な説明】
【技術分野】
【０００１】
本発明は、プロペラシャフトに使用する等速ジョイント（ＣＶＪ）を覆うためのブーツに関する。さらに詳述すると、本発明は、ブーツの大径開口縁部側を反転させてハウジングに取り付け、該ハウジングを介してブーツの大径側をＣＶＪに装着するプロペラシャフト用ＣＶＪブーツに関するものである。
【背景技術】
【０００２】
プロペラシャフト用ＣＶＪは、一般に、プロペラシャフトとトランスミッションからの駆動力を伝えるコンパニオンフランジとの間に組み込まれ、プロペラシャフトとコンパニオンフランジの相対的な移動を吸収するようにしている。そして、この相対的な移動にはプロペラシャフトの軸方向移動も含まれる。したがって、このプロペラシャフト用ＣＶＪブーツとしては、ジョイントの交差角の変化のみならずプロペラシャフトの軸方向への摺動を許容するものであることが必要である。
【０００３】
この種のブーツとしては、図５に示すように、ベロー１０１の大径開口縁部１０２側を反転させてアダプタ１０８にかしめによって固定する一方、反対端側の小径固定部１０３を締付バンド１１０でプロペラシャフト１０９に固定し、ベロー１０１の捲れ状態を変化させながら、つまりベロー１０１の折り返し部１０７の位置（反転位置）を変化させながら、プロペラシャフト１０９の軸方向移動にブーツの形態を追従させるように設けられている。このプロペラシャフト用ＣＶＪブーツは、アダプタ装着前には、図４に示すように、プロペラシャフト１０９に装着する小径固定部１０３と、アダプタ１０８に装着される大径開口縁部１０２と、小径固定部１０３から大径開口縁部１０２へ径が円錐状に直線的に大きくなるテーパ形状のベロー１０１とで構成されている（例えば、特許文献１）。
【先行技術文献】
【特許文献】
【０００４】
【特許文献１】実開昭６１−１８８０２９号公報
【発明の概要】
【発明が解決しようとする課題】
【０００５】
しかしながら、従来のプロペラシャフト用ＣＶＪブーツは、テーパ状のベロー１０１を反転させる構造をとっているので、ＣＶＪに装着された状態では、プロペラシャフト１０９が外輪から引き出されてベロー１０１が伸張方向に引っ張られると（ブーツ伸張時）、ベロー１０１の軸直角平面形状あるいは断面形状が円形から例えば図６に示す三角形などに変形する（以下、多角形変形と呼ぶ）ことがある。同ＣＶＪブーツは、ベロー１０１をテーパ状としているので、ブーツを反転させる折り返し部１０７からプロペラシャフト１０９側のベロー（以下、プロペラシャフト側ベローと呼ぶ）１０１ａと、折り返し部１０７からアダプタ１０８側に形成されるベロー（以下、アダプタ側ベローと呼ぶ）１０１ｂとの双方が大きく開いた円錐形状となるため、プロペラシャフト１０９の摺動によってベロー１０１が軸方向に伸縮した際に、ブーツの折り返し部１０７がプロペラシャフト側ベロー１０１ａ及びアダプタ側ベロー１０１ｂの両方に変形しやすい構成になり、変形にばらつきがでてしまう。この変形のばらつきによってベロー１０１に多角形変形が起こり易くなると考えられる。
【０００６】
そして、円周上に応力にばらつきが生じる場合、ベロー１０１の折り返し部１０７の形状が多角形に変形し、応力の集中が起こる。例えば、円周方向に圧縮応力が強く掛かっている部分は谷（内に凸）、その間の圧縮応力が弱い部分は山（外に凸）となり、多角形に変形する。そして、多角形変形の頂部部分（角部）がＣＶＪの屈曲（交差）時にアダプタ１０８に常に当たるので、極端な応力集中が起こり、破断する危険性があり、ベロー１０１の耐久性の低下を惹起する問題を有している。
【０００７】
ここで、ベロー１０１の多角形変形はベロー１０１の肉厚を増して剛性を高めることで防止することができる。しかしながら、ベロー１０１が肉厚になった分、プロペラシャフト１０９の軸方向スライドによってベロー１０１が伸縮した時にかかる応力が増加してしまう。このため、ベロー１０１の多角形変形の防止ができたとしても、耐久性の低下を招いてしまう問題がある。
【０００８】
また、テーパ状のベロー１０１を反転させる従来のプロペラシャフト用ＣＶＪブーツの構成では、反転位置（ベローの折り返し１０７の位置）がプロペラシャフト１０９から離れてアダプタ１０８側に接近するため、ベロー１０１の大径開口縁部１０２とアダプタ（金属環）１０８のかしめのための折り返された縁部分との接触リスクが高まる問題もある。つまり、ベロー１０１がアダプタ１０８の縁に接触することでベロー１０１が損傷する危険性がある。また、ベロー１０１のアダプタ１０８に接触している部分には、応力が集中しやすく、早期破断の原因となる。
【０００９】
本発明は、ベローの肉厚を増すことなく、プロペラシャフトが軸方向にスライドし、ベローが引っ張られた際に、ベローに多角形変形が発生してしまうことを低減できるプロペラシャフト用ＣＶＪブーツを提供することを目的とする。
【課題を解決するための手段】
【００１０】
かかる目的を達成するため、請求項１記載の発明は、プロペラシャフト用ＣＶＪの外輪に取り付けられるアダプタに反転した状態でかしめられて固定される大径開口縁部と、プロペラシャフトに嵌合されて固定される小径固定部と、前記大径開口縁部と前記小径固定部との間を繋ぐベローとを有するプロペラシャフト用ＣＶＪブーツにおいて、ベローが、小径固定部のバンド固定溝のベロー側端部から大径開口縁部のベロー側端部までの径方向高さをＡとし、小径固定部のバンド固定溝のベロー側端部から大径開口縁部のベロー側端部までの軸方向長さをＢとし、Ａ及びＢを各々４等分して１６の領域に区画した場合に、小径固定部側のベロー側端部を原点として大径開口縁部側へ軸方向長さ２／４Ｂの範囲においては、原点から径方向外側へ１／４Ａの範囲内に形成され、軸方向長さ２／４Ｂから３／４Ｂの範囲においては、原点から径方向外側へ１／４Ａから３／４Ａまでの範囲内に形成され、さらに軸方向長さ３／４Ｂから４／４Ｂの領域では径方向外側へ１／４Ａから４／４Ａまでの範囲内に形成され、かつ少なくとも原点から軸方向長さ３／４Ｂまでの領域においては、小径固定部側のベロー側端部と大径開口縁部のベロー側端部とを結ぶ母線よりもプロペラシャフト側寄りに内に向けて凸の円弧状を成している。
【発明の効果】
【００１１】
請求項１記載の発明にかかるプロペラシャフト用ＣＶＪブーツによれば、ベローの折り返し部が従来のものに比べてプロペラシャフトに近い位置に形成されるため、プロペラシャフト側ベローは円筒に近い構成となる。他方、アダプタ側ベローは、大きく開いた円錐に近い構成となる。このため、ベローの径方向の圧縮・引張の力に対する剛性関係が［プロペラシャフト側ベロー＞アダプタ側ベロー］となる。ここで、厚みが同一な円筒と円錐とでは、径方向の圧縮・引張の力がかかった時に円筒の方が変形し難い。
【００１２】
したがって、上述のベローの剛性関係によれば、プロペラシャフトによってベローが軸方向に伸縮した際に、ブーツの折り返し部が円周上アダプタ側ベローの方向に変形し易い構成となることより、ベローの伸張時には、ブーツの折り返し部が同一方向(アダプタ側)に変形するため、ベローの円周上に多角形変形が起こることを抑制できる。
【００１３】
また、ブーツの折り返し部が従来のものに比べてプロペラシャフトに近い位置に形成され、ベローの伸張前と伸張後のブーツの折り返し部の位置（反転位置）の径方向への変位量が少ないため、ブーツの折り返し部の変形量が抑えられるため、ベローの多角形変形を起こし難くできる。
【００１４】
つまり、多角形変形が起こるのは、ブーツを反転させたときに、本来必要な周長に対して、折り返し部における周長が不足気味となるので、丸を保てなくなって形を楽な方向（円を保つより、多角形）に変えるのではないかと考えられる。そこで、ブーツを反転させたときの折り返し部の位置を回転軸寄りに接近させ、尚且つなるべく円弧の大きさを保てるようにすることにより、ブーツの折り返し部の形状が丸に保たれるようにして、ブーツ性能を向上させようとするものである。
【図面の簡単な説明】
【００１５】
【図１】本発明のプロペラシャフト用ＣＶＪブーツの一実施形態を示す端面図で、軸平面に沿ってブーツの半分の輪郭形状を示す。
【図２】プロペラシャフト用ＣＶＪに本発明のブーツを組み込んだ状態を示す縦断面図である。
【図３】本発明のプロペラシャフト用ＣＶＪブーツにおけるブーツ折り返し部の形状を示す図である。
【図４】従来のプロペラシャフト用ＣＶＪブーツの一実施形態を示す端面図で、軸平面に沿ってブーツの半分の輪郭形状を示す。
【図５】プロペラシャフト用ＣＶＪに従来のブーツを組み込んだ状態を示す縦断面図である。
【図６】従来のプロペラシャフト用ＣＶＪブーツにおいてブーツ折り返し部が多角形状に変形した状態を示す図である。
【発明を実施するための形態】
【００１６】
以下、本発明の構成を図面に示す一実施形態に基づいて詳細に説明する。なお、本実施形態では、自動車のプロペラシャフトに設けた等速ジョイントに装着するブーツについて説明している。
【００１７】
図１及び図２に本発明のプロペラシャフト用ＣＶＪブーツの一実施形態を示す。このプロペラシャフト用ＣＶＪブーツは、ゴムまたは樹脂等の弾性体から成り、プロペラシャフト９に固定される小径固定部３からアダプタ８にかしめられる大径開口縁部２に向けて朝顔形に広がるベロー１を有する。このプロペラシャフト用ＣＶＪブーツは、ベロー１の大径開口縁部２を反転させた状態で等速ジョイントの外輪（図示省略）に固定されるアダプタ８の縁に固定する一方、小径固定部３を等速ジョイントの駆動軸（プロペラシャフト）９に締め付けバンド１０で固定することによって、等速ジョイントに組み付けられる。尚、アダプタ８とブーツの大径開口縁部２とは、例えばアダプタ８の縁をかしめることによってブーツの大径開口縁部２を包囲するように巻き込み（カーリング）固定される。尚、図中の符号１２はベロー１の折り返し部（反転部）である。
【００１８】
また、アダプタ装着前のブーツ形状においてベロー１は、図１に示すように、小径固定部３のバンド固定溝４のベロー側端部５から大径開口縁部２のベロー側端部６までの径方向高さをＡとし、小径固定部３側のベロー側端部５から大径開口縁部２側のベロー側端部６までの軸方向長さをＢとし、Ａ及びＢを各々４等分して１６の領域に区画した場合に、小径固定部３側のベロー側端部５を原点として大径開口縁部２側へ軸方向長さ２／４Ｂの範囲においては原点５から径方向外側へ１／４Ａの範囲（（Ｂ１，Ａ１）、（Ｂ２，Ａ１））内に形成され、軸方向長さ２／４Ｂから３／４Ｂの範囲においては、原点５から径方向外側へ１／４Ａから３／４Ａまでの範囲（（Ｂ３，Ａ１〜Ａ３））内に形成され、さらに軸方向長さ３／４Ｂから４／４Ｂの領域では径方向外側へ１／４Ａから４／４Ａ（（Ｂ４，Ａ１〜Ａ４））までの範囲内に形成され、かつ少なくとも原点５から軸方向長さ３／４Ｂまでの領域においては、小径固定部３側のベロー側端部５と大径開口縁部２のベロー側端部６とを結ぶ母線（直線）１１よりもプロペラシャフト９側寄りに内に向けて凸の円弧状を成している。
【００１９】
つまり、ベロー１は、図１に示す１６区画のうちのハッチングで示す領域を除く部分（Ｂ１，Ａ１）、（Ｂ２，Ａ１）、（Ｂ３，Ａ１〜Ａ３）、（Ｂ４，Ａ１〜Ａ４）に形成されるものであり、全体としてプロペラシャフト９側寄りに向けて膨らむ円弧状（朝顔型）に形成されている。例えば表２に例示する実施例１〜３のように、少なくとも原点５から軸方向長さ３／４Ｂまでの領域においては、原点５と大径開口縁部２のベロー側端部６とを結ぶ母線１１よりもプロペラシャフト９側寄りに内に向けて凸の円弧状を成すことによって、ベロー１がハッチングで示す領域に掛からないように形成されている。
【００２０】
ここで、ベロー１は、大径開口縁部２に到達する直前までの、少なくとも原点５から軸方向長さ３／４Ｂまでの領域においては、原点５と大径開口縁部２のベロー側端部６とを結ぶ母線１１よりもプロペラシャフト９側寄りに向けて膨らむ円弧状、即ち内に向けて凸の円弧状を成しているが、大径開口縁部２に到達する直前での形状には特に限定を受けないものである。例えば、表２に示す実施例２に示すように、軸方向の全域（原点５から大径開口縁部２のベロー側端部６までの範囲Ｂ）において内に凸の円弧状（朝顔型）に形成されても良いし、同実施例１あるいは３に示すように、大径開口縁部２に到達する直前でそれまでとは逆向き（外に凸）に湾曲するように形成されても良い。つまり、大径開口縁部２の直近のベロー１の形状はストレートとせずに外に凸となる湾曲形状とすることが好ましい。この場合、ベロー１の大径開口縁部２を反転させてからアダプタ８の端の内周面側にかしめて固定する作業が容易となる。
【００２１】
尚、本明細書において、ベロー１とアダプタ８の接触リスクという用語は、ブーツの大径開口縁部２側を反転させてアダプタ８に装着した際に、ベロー１がアダプタ８に接触してしまうことを特に意味しているが、ベロー１とアダプタ８のかしめ部分の縁とのクリアランスが小さすぎて、ブーツに作動角がついた場合にベロー１がアダプタ８の縁に接触してしまう場合も含む意味で使用されている。また、ブーツ圧縮時とはプロペラシャフト９を外輪側へ押し込むとき、ブーツ伸張時とはプロペラシャフト９を外輪から引き出すとき、さらにブーツ中立時とは何も軸方向に負荷をかけないときを意味している。
【００２２】
なお、上述の実施形態は本発明の好適な実施の一例ではあるがこれに限定されるものではなく本発明の要旨を逸脱しない範囲において種々変形実施可能である。
【００２３】
＜ベロー形状のＦＥＭ解析＞
図４に示す従来ベロー形状について、ＦＥＭ（Finite Element Method：有限要素法）解析によって多角形変形の有無並びにベロー１０１とアダプタ（金属環）１０８の接触リスクについて解析すると同時に、現品における多角形変形の有無並びに接触リスクについて確認した。ここで、ベロー形状のＦＥＭ解析においては、ベロー１０１を、小径固定部１０３のバンド固定溝１０４のベロー側端部１０５から大径開口縁部１０２のベロー側端部１０６までの径方向高さをＡとし、小径固定部１０３のバンド固定溝１０４のベロー側端部１０５から大径開口縁部１０２のベロー側端部１０６までの軸方向長さをＢとし、Ａ及びＢを各々４等分してベロー側端部１０５を原点として１６の領域に区画した。この従来形状のベロー１０１は、（Ｂ２，Ａ２）の領域にベロー１０１が掛かっている。また、Ｂ２からＢ４までの領域において、ベロー１０１が直線的な母線で形成されたテーパ状（円錐状）に形成されている。そのＦＥＭ解析結果と現品確認結果を表１に示す。尚、現品確認に用いたＣＶＪブーツは、大径開口縁部のベロー側端部の直径はφ５７ｍｍ、小径固定部のバンド固定溝のベロー側端部の直径はφ２５．５ｍｍ、ベロー分の平均厚み２．２ｍｍである。
【００２４】
【表１】
2017096473.tif 000003
【００２５】
ＦＥＭ解析の結果、円錐状に直線的に径が大きくなるテーパ状のベロー形状である図４の従来のブーツの場合、ブーツ伸張時に多角形変形が発生するという結果が得られた。また、ベローとアダプタとの間の接触はないが、ベローとアダプタとの間の隙間が狭い形状をとるという結果が得られた。他方、従来ベロー形状のブーツ現品の場合、ブーツ伸張時には、ベローとアダプタとの間の接触はなかったものの、多角形変形が発生することが確認された（図６参照）。即ち、解析上で多角形変形が発生する形状は、現品においても多角形変形が発生すると判断でき、ベローとアダプタとの間の接触がなかったものは現品においても接触しないと判断できることが判明した。
【００２６】
次いで、図１に示すベローの縦断面形状・湾曲度合いが異なる７種類（実施例１〜３，比較例1から４）のＣＶＪブーツについて、ＦＥＭ解析によって多角形変形の有無並びにベローとアダプタ（金属環）の接触リスクについて解析した。その結果を表２に示す。
【００２７】
【表２】
2017096473.tif 000004
※多角形変形の判断基準；
○：従来形状よりも変形を抑制できたもの
×：従来形状と同等以下の変形してしまうもの
※ブーツとアダプタとの接触有無の判断基準
無：ブーツのアダプタ装着時及び装着後ジョイント作動角がついた場合において、
アダプタとベローが接触することがないもの
有：アダプタとベローが接触してしまうもの
【００２８】
ＦＥＭ解析の結果、実施例１〜実施例３のブーツについては、多角変形を抑制することができた。また、アダプタとベローが接触することがないので、アダプタとの接触によるブーツの破断の心配もない。
【００２９】
これに対し、比較例１のブーツについては、従来品と同等であり、多角変形を低減できないという結果が得られた。また、アダプタとベローが接触してしまいベローが破断してしまう危険性があるという結果が得られた。この比較例１のブーツにおいては、（Ｂ２，Ａ２）の領域及び（Ｂ３，Ａ４）の領域においてそれぞれベローが掛かり、かつＢ３及びＢ４の領域において小径固定部側のベロー側端部と大径開口縁部のベロー側端部とを結ぶ母線よりも外に凸（反プロペラシャフト側に向けて凸）の円弧状を成している。
【００３０】
また、比較例２のブーツについては、多角変形が従来品よりも顕著に出現するという結果が得られた。アダプタとブーツとの装着時に、折り返し部が軸から離れているため、ブーツ伸長時に折り返し部が、プロペラシャフト側ベロー及びアダプタ側ベローの両方に変形し、多角形変形をしてしまったと考えられる。
また、ベローとアダプタとは接触していないが、従来形状よりも解析上でのクリアランスが狭いため、現品においてもクリアランスが狭くベローとアダプタの接触リスクが高いと判断できる。そこで、クリアランスがあっても、基準値よりも低いので接触リスク有りとの判断を行った。この比較例２のブーツにおいては、（Ｂ４，Ａ２）の領域及び（Ｂ３，Ａ４）の領域においてそれぞれベローが掛かっている。
【００３１】
また、比較例３のブーツについては、多角変形が従来品よりも顕著に出現するという結果が得られた。比較例３の構成では、ベロー引き延ばした時の長さが他の比較例及び実施例に比べて長くなる。このような場合、ブーツのアダプタ装着時にベローの余剰分が生じ、この余剰分がベローにたるみ（剛性の弱い部位）を形成してしまう。このため、ブーツの伸長時には、前記たるみが変形してしまい多角形変形が起こってしまったと考えられる。
また、ベローとアダプタとは接触していないが、比較例２と同様に、従来形状よりも解析上でのクリアランスが狭いため、現品においてもクリアランスが狭くベローとアダプタの接触リスクが高いと判断できることから、接触リスク有りとの判断を行った。この比較例３のブーツにおいては、（Ｂ３，Ａ４）の領域にベローが掛かっている。
【００３２】
さらに、比較例４のブーツについては、多角変形が従来品よりも顕著に出現するという結果が得られた。ブーツ伸長時に、折り返し部が、プロペラシャフト側ベロー及びアダプタ側ベローの両方に変形し、多角形変形を起こしたものと推定される。また、ブーツとアダプタとの接触は従来品と同等であり、接触リスク無しと判定された。この比較例４のブーツにおいては、（Ｂ４，Ａ２）の領域にベローが掛かっている。
【００３３】
つまり、多角形変形が起こってしまったベローは、原点（小径固定部側のベロー側端部）Ｘから軸方向長さ１／２Ｂまでの範囲において、原点Ｘから径方向外側へ１／４Ａまでの範囲（（Ｂ１，Ａ１）、（Ｂ２，Ａ１））の外にベローが形成された場合（比較例１，２，４）であり、また原点Ｘから軸方向長さ２／４Ｂから３／４Ｂの範囲においては径方向外側へ１／４Ａから３／４Ａまでの範囲（（Ｂ３，Ａ１〜Ａ３））の外に形成された場合（比較例１，２，３）であった。これは、ブーツの折り返し部の径が従来と同程度もしくはそれ以上の構成になってしまうためと思われる。また、原点Ｘから軸方向長さ２／４Ｂから３／４Ｂの範囲において、（（Ｂ３，Ａ１〜Ａ３））の範囲の外に形成された場合（比較例１，２，３）には、アダプタとベローとが接触してしまい、ベローが損傷してしまう危険性が高かった。
【００３４】
以上の結果より、アダプタ装着前のブーツ形状におけるベローは、図１に示すように、
i)  小径固定部側のベロー側端部を原点として大径開口縁部側へ軸方向長さ２／４Ｂの      範囲においては、原点から径方向外側へ１／４Ａの範囲（（Ｂ１，Ａ１）、（Ｂ２，Ａ１））内に形成され、
ii)  軸方向長さ２／４Ｂから３／４Ｂの範囲においては、原点から径方向外側へ
１／４Ａから３／４Ａまでの範囲（Ｂ３，Ａ１〜Ａ３）内に形成され、
iii)  さらに軸方向長さ３／４Ｂから４／４Ｂの領域では径方向外側へ１／４Ａから
４／４Ａまでの範囲（Ｂ４，Ａ１〜Ａ４）内に形成され、
iv)  かつ少なくとも原点から軸方向長さ３／４Ｂまでの領域（Ｂ１，Ａ１）、（Ｂ        ２，Ａ１）、（Ｂ３，Ａ１〜Ａ３）においては、小径固定部側のベロー側端部と大      径開口縁部のベロー側端部とを結ぶ母線よりもプロペラシャフト側寄りに内に向け      て凸の円弧状を成している場合には、ベローの肉厚を増すことなく、プロペラシャフトが軸方向にスライドし、ベローが引っ張られた際に、ベローに多角形変形が発生してしまうことを低減させ得ることが判明した。
【符号の説明】
【００３５】
１  ベロー
２  大径開口縁部
３  小径固定部
４  小径固定部のバンド固定溝
５  小径固定部のバンド固定溝のベロー側端部（原点）
６  大径開口縁部のベロー側端部
７  ベローの折り返し部
８  アダプタ
９  プロペラシャフト
１０  締め付けバンド
１１  小径固定部側のベロー側端部と大径開口縁部のベロー側端部とを結ぶ母線（直線）
【図１】
2017096473.tif 000005
【図２】
2017096473.tif 000006
【図３】
2017096473.tif 000007
【図４】
2017096473.tif 000008
【図５】
2017096473.tif 000009
【図６】
2017096473.tif 000010